(57)【特許請求の範囲】
【請求項１】
底面の四辺のそれぞれから上流側壁、下流側壁、右側壁、及び左側壁が立設し、
前記上流側壁と前記下流側壁とが対向し、前記右側壁と前記左側壁とが対向し、被処理水が前記上流側壁側から流入して前記下流側壁側から放流され、前記上流側壁及び前記下流側壁が位置する方向を長手方向とし、前記右側壁及び前記左側壁が位置する方向を幅方向とする本体部を備え、
前記本体部の中に、被処理水の移流方向の上流側から、被処理水の原水を受ける原水槽、被処理水の固液分離を行う固液分離槽、及び被処理水を処理する処理槽が順に配置され仕切り壁で区画されている汚水処理装置において、
前記原水槽の被処理水を前記固液分離槽に流入させるための流入口を、前記固液分離槽の幅方向の中心よりも右側の仕切り壁の上下方向の中間部に設け、前記固液分離槽の被処理水を前記処理槽に流入させるための流出口を、前記固液分離槽の幅方向の中心よりも左側の仕切り壁の上下方向の中間部に設けるか、あるいは、前記流入口を前記固液分離槽の幅方向の中心よりも左側の仕切り壁の上下方向の中間部に設け、前記流出口を前記固液分離槽の幅方向の中心よりも右側の仕切り壁の上下方向の中間部に設けてある汚水処理装置。
【請求項２】
底面の四辺のそれぞれから上流側壁、下流側壁、右側壁、及び左側壁が立設し、
前記上流側壁と前記下流側壁とが対向し、前記右側壁と前記左側壁とが対向し、被処理水が前記上流側壁側から流入して前記下流側壁側から放流され、前記上流側壁及び前記下流側壁が位置する方向を長手方向とし、前記右側壁及び前記左側壁が位置する方向を幅方向とする本体部を備え、
前記本体部の中に、被処理水の移流方向の上流側から、被処理水の原水を受ける原水槽、被処理水の固液分離を行う固液分離槽、及び被処理水を処理する処理槽が順に配置され仕切り壁で区画されている汚水処理装置において、
前記原水槽の被処理水を前記固液分離槽に流入させるための流入口を、前記固液分離槽の幅方向の中心よりも右側の仕切り壁に設け、前記固液分離槽の被処理水を前記処理槽に流入させるための流出口を、前記固液分離槽の幅方向の中心よりも左側の仕切り壁に設けるか、あるいは、前記流入口を前記固液分離槽の幅方向の中心よりも左側の仕切り壁に設け、前記流出口を前記固液分離槽の幅方向の中心よりも右側の仕切り壁に設けてあり、
前記処理槽は、前記本体部の長手方向を区画する仕切り壁の下流側壁側に設けられ、前記原水槽が、前記長手方向を区画する仕切り壁側に配置され、前記原水槽の幅が、前記固液分離槽の幅よりも短く設定され、前記固液分離槽の前記流入口が、前記原水槽と前記固液分離槽との仕切り壁の上流側壁側に設けられている汚水処理装置。
【請求項３】
被処理水の固液分離を行う第２固液分離槽が、前記固液分離槽と前記処理槽との間で、前記原水槽の幅方向に隣接して設けられている請求項２に記載の汚水処理装置。
【請求項４】
底面の四辺のそれぞれから上流側壁、下流側壁、右側壁、及び左側壁が立設し、
前記上流側壁と前記下流側壁とが対向し、前記右側壁と前記左側壁とが対向し、被処理水が前記上流側壁側から流入して前記下流側壁側から放流され、前記上流側壁及び前記下流側壁が位置する方向を長手方向とし、前記右側壁及び前記左側壁が位置する方向を幅方向とする本体部を備え、
前記本体部の中に、被処理水の移流方向の上流側から、被処理水の原水を受ける原水槽、被処理水の固液分離を行う固液分離槽、及び被処理水を処理する処理槽が順に配置され仕切り壁で区画されている汚水処理装置において、
前記原水槽の被処理水を前記固液分離槽に流入させるための流入口を、前記固液分離槽の幅方向の中心よりも右側の仕切り壁に設け、前記固液分離槽の被処理水を前記処理槽に流入させるための流出口を、前記固液分離槽の幅方向の中心よりも左側の仕切り壁に設けるか、あるいは、前記流入口を前記固液分離槽の幅方向の中心よりも左側の仕切り壁に設け、前記流出口を前記固液分離槽の幅方向の中心よりも右側の仕切り壁に設けてあり、
前記原水槽が、流入する被処理水の原水を上部から受け入れる好気ろ床部と、該好気ろ床部に下から空気を供給する散気管とを備え、前記流入口が、前記固液分離槽の上下方向の中間部に設けられ、前記好気ろ床部の下方と、前記流入口を連通させる連通路が設けられている汚水処理装置。
【発明の詳細な説明】
【技術分野】
【０００１】
本発明は、底面の四辺のそれぞれから上流側壁、下流側壁、右側壁、及び左側壁が立設し、前記上流側壁と前記下流側壁とが対向し、前記右側壁と前記左側壁とが対向し、被処理水が前記上流側壁側から流入して前記下流側壁側から放流され、前記上流側壁及び前記下流側壁が位置する方向を長手方向とし、前記右側壁及び前記左側壁が位置する方向を幅方向とする本体部を備え、前記本体部の中に、被処理水の移流方向に沿って、被処理水の原水を受ける原水槽、被処理水の固液分離を行う固液分離槽、及び被処理水を処理する処理槽が順に配置され仕切り壁で区画されている汚水処理装置に関する。
【背景技術】
【０００２】
従来の汚水処理装置としては、例えば、特許文献１に示すものが知られている。ここでは、複数の固液分離槽が装置の長手方向に沿って直列に配置されており、被処理水がこれらの固液分離槽を順に移流しながら固液分離処理が行われるように構成されている。
【先行技術文献】
【特許文献】
【０００３】
【特許文献１】特開昭５１−１５０８６５号公報（図１）
【発明の概要】
【発明が解決しようとする課題】
【０００４】
従来の汚水処理装置においては、複数の固液分離槽を装置の長手方向に沿って直列に配置している。しかし、近年装置の小型化が図られるにつれ各固液分離槽における長手方向の長さが短くなっていた。
その結果、被処理水が各固液分離槽を流れる距離が短くなるため、複数の固液分離槽を設けるわりには、所望する沈殿分離効果が得られ難い場合が生じていた。
本発明の目的は、簡素な構成で固液分離槽の沈殿分離効果を向上させることのできる汚水処理装置を提供することにある。
【課題を解決するための手段】
【０００５】
本発明の汚水処理装置に係る第１特徴構成は、底面の四辺のそれぞれから上流側壁、下流側壁、右側壁、及び左側壁が立設し、前記上流側壁と前記下流側壁とが対向し、前記右側壁と前記左側壁とが対向し、被処理水が前記上流側壁側から流入して前記下流側壁側から放流され、前記上流側壁及び前記下流側壁が位置する方向を長手方向とし、前記右側壁及び前記左側壁が位置する方向を幅方向とする本体部を備え、前記本体部の中に、被処理水の移流方向の上流側から、被処理水の原水を受ける原水槽、被処理水の固液分離を行う固液分離槽、及び被処理水を処理する処理槽が順に配置され仕切り壁で区画されている汚水処理装置において、前記原水槽の被処理水を前記固液分離槽に流入させるための流入口を、前記固液分離槽の幅方向の中心よりも右側の仕切り壁の上下方向の中間部に設け、前記固液分離槽の被処理水を前記処理槽に流入させるための流出口を、前記固液分離槽の幅方向の中心よりも左側の仕切り壁の上下方向の中間部に設けるか、あるいは、前記流入口を前記固液分離槽の幅方向の中心よりも左側の仕切り壁の上下方向の中間部に設け、前記流出口を前記固液分離槽の幅方向の中心よりも右側の仕切り壁の上下方向の中間部に設けてある点にある。
【０００６】
〔作用及び効果〕
本構成によれば、被処理水を固液分離槽に流入させるための流入口、及び被処理水を固液分離槽から流出させるための流出口のそれぞれを、仕切り壁において、固液分離槽の幅方向の中心を境に右側及び左側（あるいは、左側及び右側）に設けているため、被処理水が固液分離槽に流入してから流出するまでの直線距離が長くなる。その結果、固液分離槽の長手方向の長さが短い場合でも固液分離槽を被処理水が通過する距離が長くなるため、固液分離槽の沈殿分離効果が向上する。
【０００７】
第２特徴構成は、底面の四辺のそれぞれから上流側壁、下流側壁、右側壁、及び左側壁が立設し、前記上流側壁と前記下流側壁とが対向し、前記右側壁と前記左側壁とが対向し、被処理水が前記上流側壁側から流入して前記下流側壁側から放流され、前記上流側壁及び前記下流側壁が位置する方向を長手方向とし、前記右側壁及び前記左側壁が位置する方向を幅方向とする本体部を備え、前記本体部の中に、被処理水の移流方向の上流側から、被処理水の原水を受ける原水槽、被処理水の固液分離を行う固液分離槽、及び被処理水を処理する処理槽が順に配置され仕切り壁で区画されている汚水処理装置において、前記原水槽の被処理水を前記固液分離槽に流入させるための流入口を、前記固液分離槽の幅方向の中心よりも右側の仕切り壁に設け、前記固液分離槽の被処理水を前記処理槽に流入させるための流出口を、前記固液分離槽の幅方向の中心よりも左側の仕切り壁に設けるか、あるいは、前記流入口を前記固液分離槽の幅方向の中心よりも左側の仕切り壁に設け、前記流出口を前記固液分離槽の幅方向の中心よりも右側の仕切り壁に設けてあり、前記処理槽は、前記本体部の長手方向を区画する仕切り壁の下流側壁側に設けられ、前記原水槽が、前記長手方向を区画する仕切り壁側に配置され、前記原水槽の幅が、前記固液分離槽の幅よりも短く設定され、前記固液分離槽の前記流入口が、前記原水槽と前記固液分離槽との仕切り壁の上流側壁側に設けられている点にある。
【０００８】
〔作用及び効果〕
本構成によれば、被処理水を固液分離槽に流入させるための流入口、及び被処理水を固液分離槽から流出させるための流出口のそれぞれを、仕切り壁において、固液分離槽の幅方向の中心を境に右側及び左側（あるいは、左側及び右側）に設けているため、被処理水が固液分離槽に流入してから流出するまでの直線距離が長くなる。その結果、固液分離槽の長手方向の長さが短い場合でも固液分離槽を被処理水が通過する距離が長くなるため、固液分離槽の沈殿分離効果が向上する。
また本構成のごとく、原水槽を下流側の処理槽の仕切り壁側に配置し、原水槽の幅を固液分離槽の幅よりも短くし、固液分離槽の流入口を、原水槽との仕切り壁の上流側壁側に設けることによって、原水槽に流入してきた被処理水は、原水槽から固液分離槽へ上流側壁側に向かって移流し、固液分離槽内を幅方向に向かって流れ、処理槽へは下流側壁側に向かって移流する。つまり、被処理水を、原水槽の周りを流れるように移流させることができる。これにより、装置に流入してきた被処理水の原水が、処理槽に移流するまでの被処理水の移動距離をより長く設定することができ、固液分離槽の沈殿分離効果がより向上する。
【０００９】
第３特徴構成は、被処理水の固液分離を行う第２固液分離槽が、前記固液分離槽と前記処理槽との間で、前記原水槽の幅方向に隣接して設けられている点にある。
【００１０】
〔作用及び効果〕
本構成のごとく、さらなる第２の固液分離槽を設けることによって、原水槽から固液分離槽に移流した被処理水は、原水槽と第２固液分離槽との仕切り壁に沿って流れ、第２固液分離槽に移流し、その後処理槽に移流するので、被処理水が固液分離処理される距離を長くすることができ、さらにより確実に被処理水の固液分離を行うことができる。
【００１１】
第４特徴構成は、底面の四辺のそれぞれから上流側壁、下流側壁、右側壁、及び左側壁が立設し、前記上流側壁と前記下流側壁とが対向し、前記右側壁と前記左側壁とが対向し、被処理水が前記上流側壁側から流入して前記下流側壁側から放流され、前記上流側壁及び前記下流側壁が位置する方向を長手方向とし、前記右側壁及び前記左側壁が位置する方向を幅方向とする本体部を備え、前記本体部の中に、被処理水の移流方向の上流側から、被処理水の原水を受ける原水槽、被処理水の固液分離を行う固液分離槽、及び被処理水を処理する処理槽が順に配置され仕切り壁で区画されている汚水処理装置において、前記原水槽の被処理水を前記固液分離槽に流入させるための流入口を、前記固液分離槽の幅方向の中心よりも右側の仕切り壁に設け、前記固液分離槽の被処理水を前記処理槽に流入させるための流出口を、前記固液分離槽の幅方向の中心よりも左側の仕切り壁に設けるか、あるいは、前記流入口を前記固液分離槽の幅方向の中心よりも左側の仕切り壁に設け、前記流出口を前記固液分離槽の幅方向の中心よりも右側の仕切り壁に設けてあり、前記原水槽が、流入する被処理水の原水を上部から受け入れる好気ろ床部と、該好気ろ床部に下から空気を供給する散気管とを備え、前記流入口が、前記固液分離槽の上下方向の中間部に設けられ、前記好気ろ床部の下方と、前記流入口を連通させる連通路が設けられている点にある。
【００１２】
〔作用及び効果〕
本構成によれば、被処理水を固液分離槽に流入させるための流入口、及び被処理水を固液分離槽から流出させるための流出口のそれぞれを、仕切り壁において、固液分離槽の幅方向の中心を境に右側及び左側（あるいは、左側及び右側）に設けているため、被処理水が固液分離槽に流入してから流出するまでの直線距離が長くなる。その結果、固液分離槽の長手方向の長さが短い場合でも固液分離槽を被処理水が通過する距離が長くなるため、固液分離槽の沈殿分離効果が向上する。
また本構成のごとく、原水槽が、流入する被処理水の原水を上部から受け入れる好気ろ床部と、該好気ろ床部に下から空気を供給する散気管とを備えることによって、被処理水が好気ろ床部で一旦捉えられ、散気管のばっ気によって攪拌されて分解される。これにより、原水槽における沈降汚泥が発生し難くなる。
また本構成のごとく、流入口と好気ろ床部の下方とを連通させる連通路が設けられているので、原水槽で発生した汚泥をスムーズに固液分離槽へ移流させることができる。また、流入口を固液分離槽の上下方向の中間部に設けているので、固液分離槽の上方に溜まっているスカムや下方に沈降している沈降汚泥を乱す虞が低くなるので、固液分離槽での汚泥貯留能力を高めることができる。
【図面の簡単な説明】
【００１３】
【図１】本発明の第１実施形態に係る汚水処理装置を模式的に示した縦断側面図である。
【図２】本発明の第１実施形態に係る汚水処理装置の横断平面図である。
【図３】図２の矢視線ＩＩＩ−ＩＩＩにおける縦断面図である。
【図４】図２の矢視線ＩＶ−ＩＶにおける縦断面図である。
【図５】本発明の第２実施形態に係る汚水処理装置の横断平面図である。
【図６】本発明の第３実施形態に係る汚水処理装置の横断平面図である。
【発明を実施するための形態】
【００１４】
本発明の汚水処理装置の実施の形態として、生活排水等を処理する小型浄化槽を図面に基づいて説明する。
【００１５】
〔第１実施形態〕
図１及び図２に示すように、浄化槽１は、底面２の四辺のそれぞれから上流側壁３、下流側壁４、右側壁５、及び左側壁６が立設し、上流側壁３と前記下流側壁４とが対向し、右側壁５と左側壁６とが対向して配置される本体部７を備える。尚、上流側壁３及び下流側壁４が位置する方向を長手方向Ｘとし、右側壁５及び左側壁６が位置する方向を幅方向Ｙとする。
【００１６】
本体部７の中に、汚水（被処理水）の移流方向の上流側から、汚水の原水を受ける原水槽としての好気ろ床槽Ａ、汚水の固液分離を行う固液分離槽Ｂ１、並びに汚水を処理する処理槽として、嫌気ろ床槽Ｃ、担体流動槽Ｄ、沈殿槽Ｅ、及び消毒槽Ｇが順に配置され仕切り壁Ｗで区画されている。
【００１７】
また、本実施形態においては、好気ろ床槽Ａと固液分離槽Ｂ１は、上流側壁３と処理槽の上流側壁３側の仕切り壁（嫌気ろ床槽Ｃとの仕切り壁Ｗ２）との間に設けられ、好気ろ床槽Ａの幅が、固液分離槽Ｂ１の幅の幅よりもおよそ半分程度と短く設定されており、好気ろ床槽Ａが、長手方向Ｘにおいて嫌気ろ床槽Ｃとの仕切り壁Ｗ２側に配置されている。本実施形態では、好気ろ床槽Ａは、固液分離槽Ｂ１の幅方向Ｙの中心Ｚよりも右側（右側壁５側）に偏心しており、好気ろ床槽Ａ及び固液分離槽Ｂ１と下流側の嫌気ろ床槽Ｃとを仕切る仕切り壁Ｗ２側に配置される。
【００１８】
汚水はまず、浄化槽１の上流側壁３の上端から延びる原水流入管１８から好気ろ床槽Ａに流入する。
【００１９】
好気ろ床槽Ａは、好気性微生物を付着生息させるろ材が充填される好気ろ床部１０と、好気ろ床部１０に下から空気を供給する散気管Ｋ１とを備える。汚水は、原水流入部１８から好気ろ床部１０の上部に流入し、流入した汚水が好気ろ床部１０を通過する際に、好気性微生物による有機物の分解が行われる。
【００２０】
次いで、図２及び図３に示すように、好気ろ床槽Ａの好気ろ床部１０を通過した汚水は、好気ろ床部１０の下方と、固液分離槽Ｂ１の流入口１９とを連通する連通路３０を通り、好気ろ床槽Ａと固液分離槽Ｂ１とを仕切る仕切り壁Ｗ１の流入口１９から固液分離槽Ｂ１に移流する。この流入口１９は、仕切り壁Ｗ１において、固液分離槽Ｂ１の幅方向Ｙの中心Ｚよりも右側（右側壁５側）であって、仕切り壁Ｗ１の右端の上下方向の中間部に設けられている。
【００２１】
そして、図２に示すように、流入口１９から移流してきた汚水は、固液分離槽Ｂ１内を固液分離処理されつつ、好気ろ床槽Ａの周りを回るように、左側壁６側、そして仕切り壁Ｗ２側へと移流し、汚水中の固形物が沈殿して除去される。
【００２２】
次いで、固液分離槽Ｂ１の汚水は、固液分離槽Ｂ１と嫌気ろ床槽Ｃとを仕切る仕切り壁Ｗ２の流出口２０から嫌気ろ床槽Ｃに移流する。図４に示すように、この流出口２０は、仕切り壁Ｗ２において、固液分離槽Ｂ１の幅方向Ｙの中心Ｚよりも左側（左側壁６側）であって、好気ろ床槽Ａ付近の上下方向の中間部に設けられている。
【００２３】
嫌気ろ床槽Ｃは、嫌気性微生物を付着生息させるろ材が充填される嫌気ろ床部１２を備える。汚水が嫌気ろ床部１２を通過する際に、固形物の分離、嫌気性微生物の働きによる有機物の分解、及び脱窒（嫌気処理）が行われて汚水中の窒素成分が除去される。
【００２４】
次いで、嫌気ろ床槽Ｃの嫌気ろ床部１２を通過した汚水は、移流口２２から担体流動槽Ｄに移流する。
【００２５】
好気処理を行う担体流動槽Ｄには、略球形の樹脂製の担体Ｔが多数充填されており、下部に散気管Ｋ２が設けられている。散気管Ｋ２には、図示しないばっ気ブロアから空気が供給される。散気管Ｋ２から空気が供給されることによって、担体Ｔが槽内で流動し、担体Ｔの表面に付着している好気性微生物による有機物の分解とアンモニア性窒素の硝化（好気処理）が行われる。
【００２６】
担体流動槽Ｄは、下部において沈殿槽Ｅと連通しており、担体流動槽Ｄの汚水は、沈殿槽Ｅを上向きに流れ消毒槽Ｇに移流する。また、担体流動槽Ｄには、床部の汚水及び汚泥を、好気ろ床槽Ａに移送するための循環エアリフトポンプＰ２と返送管１５が設けられている。
【００２７】
消毒槽Ｇの消毒装置１６に流入した汚水は、消毒装置１６の固形消毒剤と接触して消毒された後、槽外に放流される。
【００２８】
以下に本発明の汚水処理装置の第２及び第３実施形態について説明するが、ここでは、上記第１実施形態と異なる構成についてのみ説明し、上記第１実施形態で説明した構成部品と同じ作用を有する構成部品については、同じ符号を付すことにより説明を省略する。
【００２９】
〔第２実施形態〕
図５に示すように、第２実施形態においては、好気ろ床槽Ａの幅が、固液分離槽Ｂ１の幅のおよそ半分程度に設定されており、さらに、嫌気ろ床槽Ｃ（処理槽）の上流側壁３側の仕切り壁Ｗ２側で、好気ろ床槽Ａに隣接して第２固液分離槽Ｂ２が設けられている。本実施形態では、好気ろ床槽Ａは、固液分離槽Ｂ１の幅方向Ｙの中心Ｚよりも右側（右側壁５側）に偏心して配置され、第２固液分離槽Ｂ２は、固液分離槽Ｂ１の下流側で、且つ好気ろ床槽Ａの左側（左側壁６側）に配置され、好気ろ床槽Ａと第２固液分離槽Ｂ２は、下流の嫌気ろ床槽Ｃに隣接するように配置される。
【００３０】
汚水はまず、浄化槽１の上流側壁３の上端から延びる原水流入管１８から好気ろ床槽Ａに流入する。
【００３１】
次いで、図５に示すように、好気ろ床槽Ａの汚水は、好気ろ床槽Ａと固液分離槽Ｂ１とを仕切る仕切り壁Ｗ１（後述するように、本実施形態おけるこの仕切り壁Ｗ１は固液分離槽Ｂ１と第２固液分離槽Ｂ２とを仕切る仕切り壁でもある）の流入口１９から固液分離槽Ｂ１に移流する。この流入口１９は、第１実施形態と同様に、仕切り壁Ｗ１において、固液分離槽Ｂ１の幅方向Ｙの中心Ｚよりも右側（右側壁５側）であって、仕切り壁Ｗ１の右端の上下方向の中間部に設けられている。
【００３２】
そして、流入口１９から移流してきた汚水は、固液分離槽Ｂ１内を固液分離処理されつつ左側壁６側に流れ、汚水中の固形物が沈殿して除去される。
【００３３】
次いで、固液分離槽Ｂ１の汚水は、固液分離槽Ｂ１と第２固液分離槽Ｂ２とを仕切る仕切り壁Ｗ１の流出口２０から第２固液分離槽Ｂ２に移流する。図５に示すように、この流出口２０は、仕切り壁Ｗ１において、固液分離槽Ｂ１の幅方向Ｙの中心Ｚよりも左側（左側壁６側）であって、且つ仕切り壁Ｗ１の左端の上下方向の中間部に設けられている。
【００３４】
そして、流出口２０から移流してきた汚水は、第２固液分離槽Ｂ２内を好気ろ床槽Ａ側に流れ、上記固液分離槽Ｂ１と同様に、汚水中の固形物が沈殿して除去される。
【００３５】
次いで、第２固液分離槽Ｂ２の汚水は、第２固液分離槽Ｂ２と嫌気ろ床槽Ｃとを仕切る仕切り壁Ｗ２（本実施形態おけるこの仕切り壁Ｗ２は、好気ろ床槽Ａと嫌気ろ床槽Ｃとを仕切る仕切り壁でもある）の第２流出口２１から嫌気ろ床槽Ｃに移流する。図５に示すように、この第２流出口２１は、仕切り壁Ｗ２において、浄化槽１の幅方向Ｙの中心Ｚよりも左側（左側壁６側）であって、且つ好気ろ床槽Ａ付近の上下方向の中間部に設けられている。
【００３６】
嫌気ろ床槽Ｃに移流した汚水については、その後、上述の第１実施形態と同様の処理が実施される。
【００３７】
本実施形態では、流入口１９から固液分離槽Ｂ１に移流してきた被処理水は、好気ろ床槽Ａと第２固液分離槽Ｂ２との仕切り壁Ｗ１に沿って、仕切り壁Ｗ１の左側の流出口２０に移流するため、固液分離槽Ｂ１の移流距離を長くすることができる。
【００３８】
流出口２０から第２固液分離槽Ｂ２に移流した被処理水はさらに固液分離処理されて嫌気ろ床槽Ｃに移流するため、全体的に固液分離処理する距離を長くすることができる。
【００３９】
〔第３実施形態〕
図６に示すように、第３実施形態においては、本体部７の中に、長手方向Ｘの上流側壁３側から、汚水の原水を受ける原水槽としての好気ろ床槽Ａ、及び汚水の固液分離を行う固液分離槽Ｂ１が順に配置され仕切り壁Ｗ１で区画されている。
【００４０】
汚水はまず、浄化槽１の上流側壁３の上端に設けてある原水流入管１８から好気ろ床槽Ａに流入する。
【００４１】
次いで、図６に示すように、好気ろ床槽Ａの汚水は、好気ろ床槽Ａと固液分離槽Ｂ１とを仕切る仕切り壁Ｗ１の流入口１９から固液分離槽Ｂ１に自然移流する。この流入口１９は、仕切り壁Ｗ１において、固液分離槽Ｂ１の幅方向Ｙの中心Ｚよりも左側（左側壁６側）であって、仕切り壁Ｗ１の左端の上下方向の中間部に設けられている。
【００４２】
そして、流入口１９から移流してきた汚水は、固液分離槽Ｂ１内を固液分離処理されつつ右側壁５側に流れ、汚水中の固形物が沈殿して除去される。
【００４３】
次いで、固液分離槽Ｂ１の汚水は、固液分離槽Ｂ１と嫌気ろ床槽Ｃとを仕切る仕切り壁Ｗ２の流出口２０から嫌気ろ床槽Ｃに自然移流する。この流出口２０は、仕切り壁Ｗ２において、固液分離槽Ｂ１の幅方向Ｙの中心Ｚよりも右側（右側壁５側）であって、仕切り壁Ｗ２の上下方向の中間部に設けられている。
【００４４】
嫌気ろ床槽Ｃに移流した汚水については、その後、上述の第１実施形態と同様の処理が実施される。
【００４５】
〔その他の実施形態〕
１．上述の第１〜第３実施形態の好気ろ床槽Ａ及び固液分離槽Ｂ１に関して、浄化槽１の幅方向Ｙの中心Ｚを通る長手方向Ｘに延びる線を軸として線対称となるように、左右の構成を入れ替えて構成しても良い。即ち、第１及び第２実施形態では、流出口２０を、仕切り壁Ｗにおいて、固液分離槽Ｂ１の幅方向Ｙの中心Ｚよりも左側（左側壁６側）に設け、流出口２０を仕切り壁Ｗにおいて、固液分離槽Ｂ１の幅方向Ｙの中心Ｚよりも右側（右側壁５側）に設けても良い。また、第３実施形態では、流出口２０を、仕切り壁Ｗにおいて、固液分離槽Ｂ１の幅方向Ｙの中心Ｚよりも右側（右側壁５側）に設け、流出口２０を仕切り壁Ｗにおいて、固液分離槽Ｂ１の幅方向Ｙの中心Ｚよりも左側（左側壁６側）に設けても良い。
２．上述の実施形態では、処理槽として嫌気ろ床槽Ｃ、担体流動槽Ｄ、沈殿槽Ｅ、消毒槽Ｇの構成としたが、これに限定されるものではなく、処理槽は、固液分離処理、嫌気処理、好気処理などを行う処理槽の組合せであれば良い。
【産業上の利用可能性】
【００４６】
本発明に係る汚水処理装置は、小型の浄化槽だけでなく、中型及び大型の浄化槽に用いることができる。
【符号の説明】
【００４７】
１  浄化槽
２  底面
３  上流側壁
４  下流側壁
５  右側壁
６  左側壁
７  本体部
１０  好気ろ床部
１２  嫌気ろ床部
１９  流入口
２０  流出口
Ａ  好気ろ床槽（原水槽）
Ｂ１  固液分離槽
Ｂ２  第２固液分離槽
Ｃ  嫌気ろ床槽（処理槽）
Ｗ  仕切り壁
Ｘ  長手方向
Ｙ  幅方向
Ｚ  幅方向の中心
【図１】
0005771037.tif 000002
【図２】
0005771037.tif 000003
【図３】
0005771037.tif 000004
【図４】
0005771037.tif 000005
【図５】
0005771037.tif 000006
【図６】
0005771037.tif 000007